(57)【要約】【課題】ユニットの電源スイッチのオフ操作を忘れてユニットの着脱を行っても、ユニットへの障害を防止する。【解決手段】サブラック４に着脱自在にユニット６が構成され、ユニット６は、電源スイッチ２１を有している。電源スイッチ２１と直列にタクトスイッチ２０が接続され、サブラック４に設けた電源部２４に接続されている。サブラック４へユニット６を装着後にタクトスイッチ２０が閉成され、タクトスイッチ２０が開放後にサブラック４からユニット６が離脱されるように、タクトスイッチ２０が設けられている。【選択図】　　　　図１
2004063875.tif 000002
【特許請求の範囲】
【請求項１】
ラックと、
このラックに着脱自在に構成され、電源スイッチを有するユニットと、
前記電源スイッチと直列に接続され、前記ラックに設けた電源部に接続される開閉スイッチとを、
具備し、前記ラックへ前記ユニットを装着後に前記開閉スイッチが閉成され、前記開閉スイッチが開放後に前記ラックから前記ユニットが離脱されるように、前記開閉スイッチを設けたユニット電源供給装置。
【請求項２】
請求項１記載のユニット電源供給装置において、
前記ユニットは、前記ラックに固定具によって固定され、
前記開閉スイッチは、外部から操作可能な接点を有する常開スイッチに構成され、前記固定具による前記ユニットの前記ラックへの固定及び取り外しに応じて前記接点が開閉可能なラック上の位置に設けられている
ユニット電源供給装置。
【請求項３】
請求項１記載のユニット電源供給装置において、
前記開閉スイッチは、外部から操作可能な接点を有する常開スイッチに構成され、前記ユニットは、電源コネクタを有し、前記ユニットが前記ラックに装着された状態において前記電源コネクタが前記電源部に接続された後に前記ユニットの接触によって前記接点が閉成され、前記ユニットを前記ラックから取り外す際、前記接点への前記ユニットの接触が解除された後に、前記電源コネクタが前記電源部から取り外されるように、前記ラック内に前記開閉スイッチが設けられたユニット電源供給装置。
【請求項４】
請求項１記載のユニット電源供給装置において、
前記開閉スイッチは、外部から操作可能な接点を有する常開スイッチに構成され、前記ユニットは、電源コネクタを有し、前記ユニットが前記ラックに装着された状態において電源コネクタが前記電源部に接続された後に前記ラックへの接触によって前記接点が閉成され、前記ユニットを前記ラックから取り外す際、前記接点への前記ラックの接触が解除された後に、前記電源コネクタが前記電源部から取り外されるように前記ユニットに前記開閉スイッチが設けられた
ユニット電源供給装置。
【発明の詳細な説明】
【０００１】
【発明の属する技術分野】
本発明は、電子機器が内部に収容されたユニットをラックに着脱する際に、ユニットへの電源供給、遮断を行うユニット電源供給装置に関する。
【０００２】
【従来の技術】
例えば、共同受信施設のヘッドエンドには、ラックに多数のユニットを取り付けたものがある。各ユニットには、例えば光送受信ユニット、光増幅器、変調器等の電子機器が組み込まれている。
【０００３】
【発明が解決しようとする課題】
ラックに取り付けられているユニットを、例えば保守点検のために取り外したり、保守点検の終了後に再び取り付けたりすることがある。このような取り付け、取り外しを行う場合、各ユニットに取り付けられている電源スイッチをオフにするか、ラックのメイン電源スイッチをオフにしてから行う必要がある。さもないと、取り付け、取り外しの際に発生するノイズによってユニットが誤動作するようになる可能性がある。或いは、ユニットに設けられている電源コネクタが損傷する可能性がある。しかし、このような電源スイッチの操作やメイン電源のオフを忘れて、ユニットの取り付け、取り外しを行うことが頻繁にある。
【０００４】
本発明は、ユニットの電源スイッチまたはラックのメイン電源のオフ操作を忘れて、ユニットの取り付け、取り外しを行っても、ユニットに障害が生じないようにしたユニットへの電源供給装置を提供することを目的とする。
【０００５】
【課題を解決するための手段】
本発明によるユニットへの電源供給装置は、ラックを有している。このラックは、例えば複数の棚を有するものである。このラックに着脱自在にユニットが構成されている。このユニットでは、ラックの１つの棚に１つのユニットが設けられたり、１つの棚に複数のユニットが縦方向に設けられることもある。このユニットは、例えば、内部に電源によって動作する能動型の電子機器が収容されている。さらに、このユニットは、外部から操作可能な電源スイッチを有している。電源スイッチと直列に開閉スイッチが接続されている。この開閉スイッチは、ラックへユニットを装着後に開閉スイッチが閉成され、開閉スイッチが解放後に前記ラックから前記ユニットが離脱されるように、設けられている。
【０００６】
このように構成した電源供給装置では、ラックにユニットを取り付けた状態では、開閉スイッチが閉成されている。この状態で、電源スイッチをオンにすると、電源部から電源が開閉スイッチ及び電源スイッチを介してユニットに供給され、ユニットが動作する。電源スイッチをオンにしたまま、ユニットをラックから取り外そうとすると、取り外される前に、開閉スイッチが開放となり、ユニットへの電源供給が遮断される。また、ユニットをラックに取り付ける際には、取り付けられた後に、開閉スイッチが閉成される。従って、ユニットのラックへの着脱時に、過渡の電流がユニットに流れたり、ノイズを発生したりすることがなく、ユニットに障害が生じることがない。
【０００７】
ユニットは、前記ラックに固定具によって固定されるものとすることができる。この場合、開閉スイッチは、外部から操作可能な接点を有する常開スイッチに構成する。固定具によるユニットのラックへの固定及び取り外しに応じて固定具によって接点が開閉可能なラック上の位置に、開閉スイッチは設けられている。固定具は、例えばユニットのラックへの固定、取り外しに応じて、その先端位置が進退するように構成することが望ましく。その先端によって、開閉スイッチの接点が開放されるように構成することが望ましい。
【０００８】
このように構成した場合、ユニットがラックに取り付けられて、固定具による固定が行われるまで、開閉スイッチは開放されており、電源がユニットに供給されることはない。従って、ユニットをラックに取り付ける際に、電源がユニットに供給されることはない。また、固定具によってラックにユニットが固定されている状態において、固定具による固定を解除すると、開閉スイッチが開放される。従って、ユニットへの電源供給が絶たれる。この電源供給が絶たれた状態において、ユニットをラックから取り外すことができる。
【０００９】
或いは、開閉スイッチは、外部から操作可能な接点を有する常開スイッチに構成することができる。この場合、ユニットは、電源コネクタを有している。ユニットがラックに装着される状態において、電源コネクタが電源部に接続された後に、ユニットの接触によって開閉スイッチの接点が閉成され、ユニットをラックから取り外す際、接点への前記ユニットの接触が解除された後に、電源コネクタが電源部から取り外されるように、ラック内に開閉スイッチが設けられている。
【００１０】
開閉スイッチを、外部から操作可能な接点を有する常開スイッチに構成し、ユニットを、電源コネクタを有するものとした場合、ユニットがラックに装着された状態において電源コネクタが電源部に接続された後にラックへの接触によって接点が閉成され、ユニットをラックから取り外す際、接点へのラックの接触が解除された後に、電源コネクタが電源部から取り外されるように、ユニットに開閉スイッチが設けられている。
【００１１】
上記いずれのように構成した場合でも、ラックにユニットを取り付ける際、電源部に電源コネクタが接続された後でなければ、開閉スイッチは閉成されず、ユニットへの電源の供給は行われない。また、ラックからユニットを取り外す際、開閉スイッチが開放された後に、電源コネクタが電源部から外される。
【００１２】
【発明の実施の形態】
本発明の第１の実施の形態のユニット電源供給装置は、図１に示すように、キャビネット２に設けられている。キャビネット２には、その上下方向に沿って複数のラック、例えばサブラック４が設けられている。これらサブラック４に取り付けられるユニット６に電源を供給するために、このユニット電源供給装置が使用される。サブラック４は、上下方向に所定の間隔を隔てて配置された上側フレーム８と下側フレーム１０とを有している。これらフレーム８、１０は、側面形状が概略Ｌ字状に形成されている。これらフレーム８、１０の内奥部に、バックボード１２が配置されている。バックボード１２には、ユニット６に電源を供給するための電源コネクタ１４が設けられており、図示していないが、この他に、ユニット６と接続するためのコネクタ等が設けられることもある。
【００１３】
これらサブラック４に、ユニット６が取り付けられる。ユニット６は、概略扁平な直方体状に形成された本体部６ａを有し、その内部に、電源の供給を受けて動作する電子回路７（図２参照）が配置されている。電子回路としては、例えば、共同受信施設のヘッドエンド装置が、キャビネット２内に組み込まれる場合、光信号の送受信ユニット、光増幅器、テレビジョン変調器等が使用される。
【００１４】
これらユニット６は、その本体部６ａが上側フレーム８及び下側フレーム１０の間の距離にほぼ等しい高さ寸法を有するように構成され、この本体部６ａが上側フレーム８及び下側フレーム１０の間に収容される。本体部６ａの正面に、正面パネル６ｂが設けられている。この正面パネル６ｂは、上側フレーム８の上縁と下側フレーム１０の下縁との間の距離にほぼ等しい長さを有するものである。
【００１５】
ユニット６を上側フレーム８及び下側フレーム１０の間に収容した状態において、正面パネル６ｂの上側フレーム８及び下側フレーム１０とに接触する正面パネル６ｂの部分に、固定具、例えばボルト１６、１８が挿通されている。これらボルト１６、１８は、上側フレーム８の上面及び下側フレーム１０の下面に形成された固定部１９（上側フレームのもののみ図示してある。）に螺合して、ユニット６をサブラック４に固定している。なお、ユニット６の背面には、電源コネクタ２０が外部に露出するように設けられており、上側フレーム８及び下側フレーム１０の所定の位置にユニットが装着された状態において、バックボード１２の電源コネクタ１４と接続される。この電源コネクタ２０は、図２に示すように、正面パネル６ｂにおいて手動によって操作可能に配置された電源スイッチ２１を介して電子回路７に接続されている。
【００１６】
上側フレーム８及び下側フレーム１０の一方、例えば上側フレーム８の上面側には、開閉スイッチ、例えばタクトスイッチ２２が取り付けられている。このタクトスイッチ２２は、外部から操作可能な接点２２ａを有している。この接点２２ａが、正面パネル６ｂと対向するように、固定部１９の背後に配置されている。このタクトスイッチ２２は、接点２２ａが通常には開放されている常開スイッチに構成され、図示していないが、バックボード１２の電源コネクタ１４と、バックボード１２に設けられている電源部２４との間に接続されている（図２参照）。従って、タクトスイッチ２２は、電源コネクタ１４、２０を介して電源スイッチ２１と直列に接続されている。
【００１７】
ボルト１６がユニット６を上側フレーム８に固定した状態において、ボルト１６の先端部が、タクトスイッチ２２の接点２２ａを押圧して、接点２２ａを閉成する位置に、タクトスイッチ２２は設置されている。
【００１８】
従って、例えばユニット６の本体部６ａを上側フレーム８と下側フレーム１０との間に収容し、本体部６ａの電源コネクタ２０をバックボード１２の電源コネクタ１４とに接続した状態では、図３（ｂ）に示すように、ボルト１６、１８による固定が行われていない限り、タクトスイッチ２２の接点２２ａが開放されており、たとえ電源スイッチ２１が閉成されていたとしても、電源部２４からユニット６の電子回路７には、電源が供給されない。ボルト１６、１８によって、ユニット６の正面パネル６ｂを上側フレーム８及び下側フレーム１０に固定したとき、同図（ａ）に示すように、ボルト１６の先端によって、タクトスイッチ２２の接点２２ａが閉成され、電源部２４から電源が電子回路７に供給される。従って、ユニット６の取り付けの際に、電源部２４からの電源によって電源コネクタ１４、２０の間で火花が飛ぶことがなく、電源コネクタ１４、２０が損傷したり、過渡電流によって電子回路７が損傷したり、電源コネクタ１４、２０が接続される際に発生するノイズによって電子回路７が誤動作したりすることはない。
【００１９】
このように取り付けられているユニット６を、例えば保守点検のために、取り外すために、ボルト１６、１８を緩めると、ボルト１６、１８が後退し、同図（ｂ）に示すように、タクトスイッチ２２の接点２２ａが開放される。その結果、電子回路７への電源の供給が絶たれる。その後、ユニット６を前方に引き出して、電源コネクタ２０を電源コネクタ１４から離脱させても、両コネクタ１４、２０間で火花が飛ぶこともなく、電源コネクタ１４、２０が損傷することはない。更に、離脱させる際に、過渡電流が電子回路７に流れることがなく、電子回路７が損傷することもないし、ノイズの発生によって電子回路７が誤動作することもない。
【００２０】
図４に第２の実施の形態のユニットへの電源供給装置を示す。この電源供給装置では、タクトスイッチ２２が、バックボード１２に設けられている。即ち、バックボード１２上に設けた支持台２６上に、接点２２ａが正面側を向くように取り付けられ、その隣に電源コネクタ１４が取り付けられている。この電源コネクタ１４は、ピン１４ａ、１４ａを有している。これらピン１４ａ、１４ａも正面側を向いている。電源コネクタ１４と接続されるユニット６の電源コネクタ２０は、ピン１４ａ、１４ａが挿通されるリセプタクル（図示せず）を有している。この電源コネクタ２０は、ユニット本体６ａの背面よりも幾分奥まった位置に取り付けられている。この電源コネクタ２０の位置及びピン１４ａ、１４ｂの長さは、ピン１４ａ、１４ａが電源コネクタ２０のリセプタクルに挿通された状態、即ち、電源コネクタ１４、２０が電気的に接続された状態において、まだ、タクトスイッチ２２の接点は、ユニット本体６ａの背面に接触しないように、かつ未だピン１４ａ、１４ｂがリセプタクルの内部に進入可能に選択されている。そして、ユニット本体６ａの背面がタクトスイッチ２２の接点２２ａに接触したときに、正面パネル６ｂが上側フレーム８及び下側フレーム１０に接触し、かつピン１４ａ、１４ａがリセプタクルの内奥に位置するようにも選択されている。他の構成は、第１の実施の形態の電源供給装置と同一であるので、詳細な説明は省略する。
【００２１】
このように構成された電源供給装置では、例えば電源スイッチ２１を閉成した状態で、図４（ａ）に示すように、ユニット本体６ａを上側フレーム８と下側フレーム１０との間に挿入すると、同図（ｂ）に示すように、電源コネクタ１４のピン１４ａが電源コネクタ２０のリセプタクルに接触し、電源コネクタ１４、２０が電気的に接続される。しかし、タクトスイッチ２２の接点２２ａは、ユニット本体６ａの背面に接触していないので、タクトスイッチ２２は開放されたままであり、電源コネクタ１４から電源が供給されていても、ユニット本体６ａ内の電子回路７には電源が供給されない。無論、電源コネクタ１４のピン１４ａと電源コネクタ２０のリセプタクルとの接触によっても火花が飛ぶことはなく、電源コネクタ１４、２０が焼損することもない。
【００２２】
そのままユニット本体６ａを押し込むと、同図（ｃ）に示すように、やがて正面パネル６ｂが、上側フレーム８及び下側フレーム１０に接触する。このとき、ユニット本体６ａの背面によってタクトスイッチ２２の接点２２ａが押圧され、閉成される。その結果、電子回路７に電源が供給される。以後、ボルト１６、１８によって、ユニット本体６ａの上側フレーム８及び下側フレーム１０への固定が行われる。
【００２３】
同図（ｃ）に示すように、電源が電子回路７に供給されている状態において、例えば保守点検のために、ボルト１６、１８を緩めて、ユニット本体６ａを引き出すと、同図（ｂ）に示すように、まずタクトスイッチ２２の接点２２ａへのユニット本体６ａの背面の接触が解除され、タクトスイッチ２２は開放される。このとき、まだ電源コネクタ１４のピン１４ａと、電源コネクタ２０のリセプタクルとは接続されている。しかし、電子回路７への電源供給は、タクトスイッチ２２の開放によって遮断されている。そして、同図（ａ）に示すように、電源コネクタ１４のピン１４ａと電源コネクタ２０のリセプタクルとの接続が解かれても、電源コネクタ１４、２０への電源の供給は絶たれているので、火花が飛ぶことがなく、電源コネクタ１４、２０が損傷することはない。また、電子回路７に過渡電流が流れることもないし、ノイズが発生して、電子回路７が誤動作することもない。
【００２４】
第３の実施の形態の電源供給装置を図５及び図６に示す。この実施の形態では、タクトスイッチ２２が、ユニット本体６ａの背面に、その接点２２ａが、バックボード１２側を向いて取り付けられている。そして、図６に示すように、このタクトスイッチ２２は、電源スイッチ２１と直列に接続されている。電源コネクタ１４のピン１４ａと、電源コネクタ２０のリセプタクルとの関係は、第２の実施の形態と同様であり、ピン１４ａ、１４ａが電源コネクタ２０のリセプタクルに挿通された状態、即ち、電源コネクタ１４、２０が電気的に接続された状態において、まだ、タクトスイッチ２２の接点は、支持台２６に接触しないように、かつ未だピン１４ａ、１４ａがリセプタクルの内部に進入可能に選択されている。そして、支持台２６がタクトスイッチ２２の接点２２ａに接触したときに、正面パネル６ｂが上側フレーム８及び下側フレーム１０に接触し、かつピン１４ａ、１４ａがリセプタクルの内奥に位置するようにも選択されている。他の構成は、第２の実施の形態の電源供給装置と同様であるので、詳細な説明は省略する。
【００２５】
このように構成された電源供給装置では、例えば電源スイッチ２１を閉成した状態で、図５（ａ）に示すように、ユニット本体６ａを上側フレーム８と下側フレーム１０との間に挿入すると、同図（ｂ）に示すように、電源コネクタ１４のピン１４ａが電源コネクタ２０のリセプタクルに接触し、電源コネクタ１４、２０が電気的に接続される。しかし、タクトスイッチ２２の接点２２ａは、支持台２６に接触していないので、タクトスイッチ２２は開放されたままであり、電源コネクタ１４から電源が供給されていても、ユニット本体６ａ内の電子回路７には電源が供給されない。無論、電源コネクタ１４のピン１４ａと電源コネクタ２０のリセプタクルとの接触によっても火花が飛ぶことはなく、電源コネクタ１４、２０が焼損することもない。
【００２６】
そのままユニット本体６ａを押し込むと、同図（ｃ）に示すように、やがて正面パネル６ｂが、上側フレーム８及び下側フレーム１０に接触する。このとき、支持台２６によってタクトスイッチ２２の接点２２ａが押圧され、閉成される。その結果、電子回路７に電源が供給される。以後、ボルト１６、１８によって、ユニット本体６ａの上側フレーム８及び下側フレーム１０への固定が行われる。
【００２７】
同図（ｃ）に示すように、電源が電子回路７に供給されている状態において、例えば保守点検のために、ボルト１６、１８を緩めて、ユニット本体６ａを引き出すと、同図（ｂ）に示すように、まずタクトスイッチ２２の接点２２ａへの支持台２６の接触が解除され、タクトスイッチ２２は開放される。このとき、まだ電源コネクタ１４のピン１４ａと、電源コネクタ２０のリセプタクルとは接続されている。しかし、電子回路７への電源供給は、タクトスイッチ２２の開放によって遮断されている。そして、同図（ａ）に示すように、電源コネクタ１４のピン１４ａと電源コネクタ２０のリセプタクルとの接続が解かれても、電源コネクタ１４、２０への電源の供給は絶たれているので、火花が飛ぶことがなく、電源コネクタ１４、２０が損傷することはない。また、電子回路７に過渡電流が流れることもないし、ノイズが発生して、電子回路７が誤動作することもない。
【００２８】
上記の各実施の形態では、共同聴視施設のヘッドエンド装置に、本発明を適用したが、キャビネットに装着される他の機器、例えば通信装置等にも本発明を実施することができる。また、上記の各実施の形態では、ユニット６をサブラックに着脱する例を示したが、キャビネットの各棚に１つのユニットを着脱する場合にも本発明を実施することができる。上記第２及び第３の実施の形態では、コネクタ１４がピンを有し、コネクタ２０がリセプタクルを有するものを示したが、逆にコネクタ１４がリセプタクルを有し、コネクタ２０がピンを有するものを使用してもよい。
【００２９】
上記の各実施の形態では、開閉スイッチとしてタクトスイッチを使用して、機械的にタクトスイッチを開閉したが、これに限ったものではなく、電気的に開閉スイッチを開閉することもできる。例えば電源コネクタ１４と電源コネクタ２０とが完全に接続された状態にある位置から両者が接続されているが、ユニット本体６ａが僅かに移動した位置にあることを検出する検出器、例えば光学検出器を、サブラック４内のバックボード１２の近傍に設け、この検出器によってユニット本体６ａが検出されていない状態では、電源コネクタ１４に直列に接続した開閉スイッチを開放し、この検出器１４によってユニット本体６ａが検出されている状態において、開閉スイッチを閉成するように構成してもよい。
【００３０】
【発明の効果】
以上のように、本発明によれば、電源が非供給の状態で、確実にユニットを着脱することができ、この着脱によってユニットが損傷したり、誤動作したりすることを防止することができる。
【図面の簡単な説明】
【図１】本発明の第１の実施の形態の電源供給装置の部分省略斜視図である。
【図２】図１の電源供給装置のブロック図である。
【図３】図１の電源供給装置の動作説明図である。
【図４】本発明の第２の実施の形態の電源供給装置の動作説明図である。
【図５】本発明の第３の実施の形態の電源供給装置の動作説明図である。
【図６】図５の電源供給装置のブロック図である。
【符号の説明】
４　サブラック（ラック）
６　ユニット
２１　電源スイッチ
２２　タクトスイッチ（開閉スイッチ）
２４　電源部
【図１】
2004063875.tif 000003
【図２】
2004063875.tif 000004
【図３】
2004063875.tif 000005
【図４】
2004063875.tif 000006
【図５】
2004063875.tif 000007
【図６】
2004063875.tif 000008